(57)【要約】【課題】文字データ(字幕データ)とその履歴データを表示させることで、視認性を向上させ、文字データ(字幕データ)の見逃し等を少なくできる電子機器を提供する。【解決手段】情報を表示可能な第１表示画面21と第２表示画面31どうしを相対的に移動可能に連結する連結機構40と、表示画面に対する情報の表示制御を夫々行なう表示制御部70と、第１表示画面に対する第２表示画面の位置を検知する位置検知部80と、第１データ及びこれに関連付けられた第２データを受信するデータ受信部72と、受信された第１、第２データとを分離するデータ分離部74を有し、第２表示画面が視認不能な位置にあることが検知されている状態では、第１データと第２データを第１表示画面に表示し、この状態から第２表示画面が視認可能な位置に移動すると、データ分離部により分離された第１データを第１表示画面に表示し、第２データ及びその履歴データを第２表示画面に表示する。【選択図】図１１
2012209671.tif 000002
【特許請求の範囲】
【請求項１】
情報を表示可能な第１表示画面と、
情報を表示可能な第２表示画面と、
前記第１表示画面と第２表示画面どうしを相対的に移動可能に連結する連結機構であって、第１表示画面に対して、第２表示画面を視認可能な位置と視認不能な位置に移動可能な連結機構と、
前記第１表示画面と第２表示画面に対する情報の表示制御を夫々行なう表示制御部と、
前記第１表示画面に対して、第２表示画面が視認可能な位置にあるか視認不能な位置にあるかを検知する位置検知部と、
第１データ及び該第１データに関連付けられた第２データを受信可能なデータ受信部と、
を具える電子機器において、
前記データ受信部により受信された第１データと第２データとを分離するデータ分離部と、
該データ分離部により分離された第２データを履歴データとして格納可能な記憶手段と、
を有しており、
前記表示制御部は、前記位置検知部により第２表示画面が視認不能な位置にあることが検知されている状態では、第１データと第２データを第１表示画面に表示し、この状態から前記位置検知部により第２表示画面が視認可能な位置に移動したことが検知されると、前記データ分離部により分離された第１データを第１表示画面に表示し、第２データ及び記憶手段に格納されている直前の履歴データを第２表示画面に表示する、
ことを特徴とする電子機器。
【請求項２】
記憶手段は、データ分離部により分離された最新の第２データと、該第２データの直前の少なくとも１以上の履歴データを格納可能である請求項１に記載の電子機器。
【請求項３】
表示制御部は、第２表示画面に、データ分離部により分離された最新の第２データ、該第２データの直前の履歴データを順に上から表示する請求項１又は請求項２に記載の電子機器。
【請求項４】
表示制御部は、第２表示画面に、データ分離部により分離された最新の第２データ、該第２データの直前の履歴データを順に下から表示する請求項１又は請求項２に記載の電子機器。
【請求項５】
前記第１データは動画データであり、前記第２データは前記第１データに関連付けられた文字データである請求項１乃至請求項４の何れかに記載の電子機器。
【請求項６】
情報を表示可能な第１表示画面と、
情報を表示可能な第２表示画面と、
前記第１表示画面と第２表示画面どうしを相対的に移動可能に連結する連結機構であって、第１表示画面に対して、第２表示画面を視認可能な位置と視認不能な位置に移動可能な連結機構と、
前記第１表示画面と第２表示画面に対する情報の表示制御を夫々行なう表示制御部と、
前記第１表示画面に対して、第２表示画面が視認可能な位置にあるか視認不能な位置にあるかを検知する位置検知部と、
第１データ及び該第１データに関連付けられた第２データを受信可能なデータ受信部と、
を具える電子機器の制御方法において、
前記データ受信部により受信された第１データと第２データとを分離するデータ分離部と、
該データ分離部により分離された第２データを履歴データとして格納可能な記憶手段と、
を有しており、
前記表示制御部は、前記位置検知部により第２表示画面が視認不能な位置にあることが検知されている状態では、第１データと第２データを第１表示画面に表示し、この状態から前記位置検知部により第２表示画面が視認可能な位置に移動したことが検知されると、前記データ分離部により分離された第１データを第１表示画面に表示し、第２データ及び記憶手段に格納されている直前の履歴データを第２表示画面に表示する、
ことを特徴とする電子機器の制御方法。
【発明の詳細な説明】
【技術分野】
【０００１】
本発明は、各種情報を表示することのできる表示画面を有する電子機器に関するものであり、より具体的には、所謂ワンセグ等の動画情報と文字情報を表示することのできる電子機器に関するものである。
【背景技術】
【０００２】
携帯電話機や携帯型ゲーム機、ＰＤＡ(Personal Digital Assistance)などの携帯型情報端末の如き電子機器は、一般的に文字や静止画、動画などの情報を表示する表示画面を有する。この種の電子機器として、複数の表示画面を有し、移動体用の１セグメント放送(所謂ワンセグ)のような地上デジタル放送データの受信機能を搭載して、複数の表示画面にこれら放送を表示するものも提案されている(例えば、特許文献１参照)。
【０００３】
これら携帯情報端末では、ワンセグのように動画データと、該動画データに関連付けられた文字データとを含む放送を視聴する際に、文字データは動画データの表示領域とは別領域表示される。
【先行技術文献】
【特許文献】
【０００４】
【特許文献１】特開２００８−２０６１３１号公報
【発明の概要】
【発明が解決しようとする課題】
【０００５】
しかしながら、動画データと文字データを分離して、１つの表示画面の半分に動画データを表示し、残りの半分に文字データを表示すると、動画データも文字データも小さくなってしまうため、視認し難い。
【０００６】
また、文字データは、表示画面に数秒表示されるだけであるから、読み切ることができないことがあり、さらに、見逃してしまうことも多々ある。
【０００７】
本発明の目的は、複数の表示画面を有する電子機器の一方の表示画面に動画データを表示させ、他方の表示画面に動画データに関連付けられた文字データと、該文字データの１又は複数の履歴データを表示させることで、視認性を向上させ、文字データの見逃し等を少なくすることのできる電子機器を提供することである。
【課題を解決するための手段】
【０００８】
上記課題を解決するために、本発明の電子機器は、
情報を表示可能な第１表示画面と、
情報を表示可能な第２表示画面と、
前記第１表示画面と第２表示画面どうしを相対的に移動可能に連結する連結機構であって、第１表示画面に対して、第２表示画面を視認可能な位置と視認不能な位置に移動可能な連結機構と、
前記第１表示画面と第２表示画面に対する情報の表示制御を夫々行なう表示制御部と、
前記第１表示画面に対して、第２表示画面が視認可能な位置にあるか視認不能な位置にあるかを検知する位置検知部と、
第１データ及び該第１データに関連付けられた第２データを受信可能なデータ受信部と、
を具える電子機器において、
前記データ受信部により受信された第１データと第２データとを分離するデータ分離部と、
該データ分離部により分離された第２データを履歴データとして格納可能な記憶手段と、
を有しており、
前記表示制御部は、前記位置検知部により第２表示画面が視認不能な位置にあることが検知されている状態では、第１データと第２データを第１表示画面に表示し、この状態から前記位置検知部により第２表示画面が視認可能な位置に移動したことが検知されると、前記データ分離部により分離された第１データを第１表示画面に表示し、第２データ及び記憶手段に格納されている直前の履歴データを第２表示画面に表示する。
【発明の効果】
【０００９】
本発明の電子機器によれば、第１表示画面に対して第２表示画面が視認不能な位置にある状態では、第１表示画面に第１データのみか、第１データと第２データの両方を表示し、第１表示画面に対して第２表示画面が視認可能な位置となると、第１表示画面に第１データを表示し、第２表示画面に第２データを表示するよう切り替えることができる。従って、第１表示画面で第１データを大きく表示することができ、また、第２表示画面で第２データを大きく表示することができるから、視認性を可及的に高めることができる。
【００１０】
また、第２表示画面には、分離された第２データだけでなく、その直前に表示された第２データの履歴データを表示することで、ユーザは、最新の第２データを見逃した場合であっても、第２表示画面に表示される履歴データを参照できる。従って、内容の見逃しを少なくすることができ、また、内容の理解を高めることができる。
【００１１】
具体的実施形態として、ワンセグなどの地上デジタル放送データに含まれる動画データを第１データ、動画データに関連付けられた文字データを第２データとすると、ユーザ操作により、第２画面が視認不能な状態から視認可能になったときに、動画データを第１表示画面、文字データ及びその履歴データを第２表示画面に表示することができる。これにより、第１表示画面、第２表示画面に夫々動画データ、文字データを大きく表示することができるから、視認性を高めることができ、文字データ及び履歴データを同時に表示することで、文字データの見逃しを少なくすることができ、内容の理解を高めることができる。
【００１２】
また、上記表示の切り替えの契機を、第１表示画面に対する第２表示画面の位置としている。これにより、例えば、ユーザが第２データ及び履歴データを参照又は大きく表示したいと考えたときに、第２表示画面が視認可能となるように第１表示画面に対して相対的に移動させるだけで、上記表示の切り替えを行なうことができ、操作性にもすぐれる。
【図面の簡単な説明】
【００１３】
【図１】図１は、本発明が適用される電子機器の一例を示す斜視図であって、表示画面どうしが略同一平面に位置し、接近したフラット接近状態を示している。
【図２】図２は、図１の状態から表示画面どうしを離間させたフラット離間状態を示す電子機器の斜視図である。
【図３】図３は、図２の状態から第１表示画面を第２表示画面に対して回転させ、第１表示画面を第２表示画面に対して傾けたチルト状態を示す電子機器の斜視図である。
【図４】図４は、表示画面どうしが重なった畳み状態を示す電子機器の斜視図である。
【図５】図５は、図１の状態から図３の状態へ至る過程を示す電子機器の側面図であって、図５(ａ)は、図１に示すフラット接近状態、図５(ｂ)は、図２に示すフラット離間状態、図５(ｃ)は、図３に示すチルト状態を示している。
【図６】図６は、図３のチルト状態の後、図４の畳み状態へ至る過程を示す電子機器の側面図であって、図６(ａ)は、第１表示画面を第２表示画面に対して前方へスライドするよう傾けた状態、図６(ｂ)は、図６(ａ)の状態からさらに第１表示画面をスライドするよう傾けた状態、図６(ｃ)は、図４に示す畳み状態を示している。
【図７】図７は、本実施例の電子機器のブロック図である。
【図８】図８は、地上デジタル放送データのデータ構造を示す説明図である。
【図９】図９は、本発明の動作の一例を示すフローチャート図である。
【図１０】図１０は、第１表示画面に動画データと文字データを重ねて表示している状態を示す電子機器の説明図である。
【図１１】図１１(ａ)及び(ｂ)は、第１表示画面に動画データ、第２表示画面に文字データ及び履歴データを表示した状態を示しており、(ａ)から(ｂ)へその表示が遷移している状態を示す電子機器の説明図である。
【図１２】図１２(ａ)及び(ｂ)は、図１１(ｂ)に続く表示の遷移を示す電子機器の説明図である。
【発明を実施するための形態】
【００１４】
以下、本発明の実施例について図面を参照しつつ説明する。
図１乃至図６は、本実施例に係る電子機器(10)の構造例を示す図である。
この電子機器(10)として、例えば地上デジタル放送の受信機能を具えた携帯型電子機器を例示することができる。以下の実施例では、電子機器(10)により受信されるデータを地上デジタル放送データとし、該放送データに含まれる動画データを上記した第１データ、動画データに関連付けられた文字データ(字幕データ)を第２データとして説明を行なう。
【００１５】
地上デジタル放送データは、図８に示すように、動画データと該動画データに関連付けられた文字データ(字幕データ)を有している。文字データ(字幕データ)は、８単位符号により記述されたデータである。このテキストデータの具体例としては、例えば上記動画データが映画の動画を表わすものである場合には、当該映画の字幕などを表わすデータが挙げられる。
【００１６】
この電子機器(10)は、図１乃至図６に示すように、文字、図形、静止画、動画等の各種情報を表示可能な表示画面(21)(31)と、該表示画面の表面にユーザが触れることで操作可能なタッチパネル(22)(32)とを有する表示部(20)(30)を、連結機構(40)によって相対的に開閉やスライド等により移動可能に連結して構成することができる。
【００１７】
図１乃至図６では、第２表示画面(31)が上方に向くように、電子機器(10)を水平に配置した状態を示しており、何れも図中第２表示画面(31)が向いている方向を「上」、その背面側を「下」、図１乃至図４では図中左前方を「前」、右後方を「後」、図５及び図６では、図中左側を「前」、右側を「後」と称する。「左」、「右」については、前記「前」方向から見た左右方向を夫々意味するものとする。また、第１表示部(20)及び第２表示部(30)について、図１に示す前側の端部を夫々「基端」、後側の端部を「後端」と称し、後側に位置する表示部を第１表示部(20)、前側に位置する表示部を第２表示部(30)と称する。
【００１８】
第１表示部(20)及び第２表示部(30)は、夫々図に示すように、一方の面、即ち、図１における上面が開口した筺体(23)(33)内に、表示画面(21)(31)が開口側から視認可能となるように収容されている。表示画面(21)(31)は、例えば、液晶ディスプレイなどの電気光学装置である。表示画面(21)(31)は、後述する制御手段(60)及び表示制御部(70)(図７参照)に電気的に接続され、制御手段(60)及び表示制御部(70)による表示制御の下、各種情報を表示する。
【００１９】
表示画面(21)(31)の開口側にはタッチパネル(22)(32)が設けられている。タッチパネル(22)(32)は、筺体(23)(33)の開口を塞ぐように配設され、表示画面(21)(31)が視認可能となるよう透明に形成されている。タッチパネル(22)(32)として、静電容量方式や抵抗膜方式のものを例示できる。タッチパネル(22)(32)は、タッチパネル制御部(25)(35)を介して制御手段(60)(図７参照)に電気的に接続されている。ユーザがタッチパネル(22)(32)を指等で触れて操作すると、指先等によって触れた位置を示す座標情報がタッチパネル制御部(25)(35)を介して制御手段(60)に引き渡される。これにより、ユーザの操作内容が制御手段(60)に伝達される。
【００２０】
タッチパネル(22)(32)を用いたユーザの操作として、比較的短くタッチパネル(22)(32)に触れるタップやダブルタップ、タッチパネル(22)(32)に触れる時間が、これらよりも長く、タッチパネル(22)(32)にタッチしたままタッチポイントを移動させる操作である所謂ドラッグ、指やスタイラス等でタッチパネル(22)(32)をタッチしてから素早く払う操作である所謂フリック、タッチパネル(22)(32)を２つの指等でタッチしたままその距離を変える所謂ピンチ、タッチパネル(22)(32)の同じ位置を長押しする所謂ロングタッチを例示できる。
【００２１】
第１表示部(20)と第２表示部(30)は、連結機構(40)により、相対的に移動可能となっており、本実施例の電子機器(10)では、図１乃至図６に示すように、第１表示部(20)を第２表示部(30)に対してスライド可能且つ回動可能としている。
【００２２】
連結機構(40)は、図１乃至図６に示すように、第１筺体(23)の背面側の前後方向略中央と、第２筺体(33)の先端を連結している。連結機構(40)は、複数のアーム等によって構成することができ、その詳細については説明を省略するが、後述するとおり、連結機構(40)によって、第１表示部(20)は、第２表示部(30)に対して、接近、離間方向にスライド可能且つ回動可能となっている。なお、連結機構(40)は、第１表示部(20)と第２表示部(30)をスライドのみ又は回動のみ等に連結するように構成することもできる。
【００２３】
第２表示部(30)に対する第１表示部(20)の相対的な位置は、位置検知手段(80)によって検知することができる。本実施例の位置検知手段(80)は、第２表示部(30)の上面左下隅に設けられるメンブレンスイッチ(82)を例示でき、メンブレンスイッチ(82)のオン／オフに応じて信号値が切り換る２値信号である相対位置信号を制御手段(60)に出力する。第２表示部(30)上に第１表示部(20)が重ねられて、第２表示画面(31)が第１表示部(20)に隠れて視認不能な状態では、メンブレンスイッチ(82)は第１表示部(20)の背面によって押圧されオン状態となり、信号値が“１”の相対位置信号を位置検知手段(80)から制御手段(60)に出力する。
【００２４】
これに対して、第２表示画面(31)が視認可能となるように、第1表示部(20)と第２表示部(30)を相対的に移動させると、第２表示画面(31)が視認可能となると共に、メンブレンスイッチ(82)はオフ状態となり、信号値が“０”の相対位置信号が位置検知手段(80)から制御手段(60)に出力される。
【００２５】
このように、本実施例では、位置検知手段(80)から出力される相対位置信号の信号値を参照することで、第１表示画面(21)が第２表示画面(31)に重なる位置、すなわち、第２表示画面(31)が視認不能な位置にあるのか、視認可能な位置にあるのかを検知することができる。
【００２６】
本実施例では、第１表示画面(21)に対する第２表示画面(31)の相対位置を検知するためのメンブレンスイッチ(82)を第２表示部(30)の上面の隅に設けているが、その位置は特に限定されるものではない。また、マグネットとマグネットセンサからなる非接触型のセンサにより位置検知手段(80)を構成してもよい。例えば、第１表示部(20)を第２表示部(30)に重ねた状態において互いに対向するように、マグネットとマグネットセンサの何れか一方を第１表示部(20)、他方を第２表示部(30)に設けて、マグネットセンサから出力される信号に基づいて、第１表示画面(21)と第２表示画面(31)の相対位置を判定することもできる。
さらに、第１表示部(21)と第２表示部(31)又は両表示部(21)(31)と連結機構(40)との相対的な角度変化を検知するポテンショメータ(84)等を配置して位置検知手段(80)を構成してもよい(図５(ａ)参照)。
【００２７】
図７は、本発明の電子機器のブロック図の一例を示している。
電気機器のすべての制御は、ＣＰＵ等から構成される制御手段(60)により行なわれる。制御手段(60)には、前述した第１表示画面(21)、第２表示画面(31)が電気的に接続されている。制御手段(60)には、表示制御部(70)が電気的に接続されており、第１表示画面(21)および第２表示画面(31)の各々における各種情報の表示制御を行なう。
【００２８】
また、第１タッチパネル(22)及び第２タッチパネル(32)は、夫々第１タッチパネル制御部(25)、第２タッチパネル制御部(35)を介して制御手段(60)に電気的に接続されており、第１タッチパネル(22)及び第２タッチパネル(32)からのユーザの入力は、タッチパネル制御部(25)(35)を介して制御手段(60)に送信され、制御手段(60)は、入力に応じて、表示画面(21)(31)の情報を編集、操作等を行なうことができる。
【００２９】
制御手段(60)には、その他、電子機器(10)の各種動作やユーザの所望する各種データ等を記憶するメモリ(図示せず)、地上デジタル放送データ(図８参照)を受信するデータ受信部(72)等が電気的に接続されている。データ受信部(72)は例えばアンテナと復調回路とを含んでおり、移動パケット通信網等を介して配信される地上デジタル放送データを受信し、制御手段(60)に引き渡す。
【００３０】
データ受信部(72)にて受信された地上デジタル放送データ(図８参照)は、制御手段(60)に電気的に接続されたデータ分離部(74)により、動画データ(第１データ)と該動画データに関連付けられた文字データ(第２データ／字幕データ)に分離される。
【００３１】
制御手段(60)は、第１タッチパネル(22)や第２タッチパネル(32)を介して入力される各種指示に応じた処理を実行する動作を実行する。例えば、第１タッチパネル(22)や第２タッチパネル(32)を介して地上デジタル放送データの受信、および当該地上デジタル放送データに含まれる動画データの表わす動画の表示を指示されると、制御手段(60)は、地上デジタル放送データをデータ受信部(72)によって受信し、この地上デジタル放送データに含まれている動画データの表わす動画を、表示制御部(70)により表示する。なお、これについては、フローチャート図９を用いて後述する。
【００３２】
さらに、制御手段(60)には、上記データ分離部(74)により分離された文字データ(字幕データ)を格納可能な記憶手段(76)が電気的に接続されている(図７参照)。
記憶手段(76)として、ＲＯＭ、ＲＡＭ、フラッシュメモリなどを例示することができる。
記憶手段(76)への文字データ(字幕データ)の格納の開始は、後述するフローチャート図９に示すように、視認不能である第２表示画面(31)が視認可能となったことを契機として行なうことができる。
【００３３】
記憶手段(76)は、データ分離部(74)にて分離された文字データ(字幕データ)を順次格納し、格納された文字データ(「履歴データ」と称する)は、表示制御部(70)により第２表示画面(31)に表示可能となっている。
【００３４】
上述の連結機構(40)により接続された第１表示部(20)と第２表示部(30)は、以下の要領で相対的に移動可能となっている。
【００３５】
例えば、図１は、第１表示部(20)と第２表示部(30)が、第１表示画面(21)と第２表示画面(31)を略同一平面とし、且つ第１筺体(23)の基端と第２筺体(33)の先端が接近した状態を示している。図１の側面図が図５(ａ)である。この状態を「フラット接近状態」と称する。フラット接近状態では、第１表示画面(21)と第２表示画面(31)は連続し、１つの画面として視認でき、また、第１タッチパネル(22)と第２タッチパネル(32)も連続した１つのタッチパネルの如く操作することができる。このフラット接近状態では、メンブレンスイッチ(82)は第１表示部(20)の背面によって押圧されておらず、オフ状態となっている。このため、フラット接近状態において位置検知手段(80)は、信号値が“０”の相対位置信号を制御手段(60)に与える。
【００３６】
上記フラット接近状態から、図２に示すように、第２筺体(33)の背面をユーザが手(Ｐ)の四指で支え、母指球で第２タッチパネル(32)を支えながら、両親指(Ｔ)で第１タッチパネル(22)を後方に押すと、第１表示部(20)は、第２表示部(30)に対して離間方向にスライドする。この状態を「フラット離間状態」と称し、その側面図を図５(ｂ)に示す。このフラット離間状態においても、メンブレンスイッチ(82)は第１表示部(20)の背面によって押圧されておらず、オフ状態となっている。このため、フラット離間状態において位置検知手段(80)は、信号値が“０”の相対位置信号を制御手段(60)に与える。
【００３７】
図２のフラット離間状態から、第１表示部(20)の先端側を掴んで、第１表示画面(21)が前方に傾くように第１表示部(20)を引き上げると、図３及び図５(ｃ)に示すように、第１表示画面(21)を第２表示画面(31)に対して傾けることができる。この状態を「チルト状態」と称する。この動作は、一方の手で第２筺体(33)を押さえたまま、他方の手の親指と人差し指等で第１表示部(20)を摘んで引き上げることにより行なうことができる。
【００３８】
チルト状態では、第２表示画面(31)を水平に保ったまま、第１表示画面(21)が傾いているから、第１表示画面(21)を視認し易く、例えば、第１表示画面(21)に文字等の情報を表示するとともに、ユーザの指示等に応じて第２表示画面(31)にキーボード等を表示し、第２タッチパネル(32)の操作によって、操作性にすぐれる電子機器(10)とすることができる。このチルト状態においても、メンブレンスイッチ(82)は第１表示部(20)の背面によって押圧されておらず、オフ状態となっている。このため、チルト状態において位置検知手段(80)は、信号値が“０”の相対位置信号を制御手段(60)に与える。
【００３９】
チルト状態から図６(ａ)に示すように、第１表示部(20)を連結機構(40)との連結部分を中心として後方に倒し、さらに、図６(ｂ)に示すように、第１表示部(20)の先端が第２表示部(30)の先端に接近するように下方に押し下げることで、図４及び図６(ｃ)に示すように、第１表示部(20)と第２表示部(30)が、第１表示部(20)を上側として重なった畳み状態とすることができる。
【００４０】
畳み状態では、第２表示部(30)の上に第１表示部(20)が重なり、第２表示画面(31)は第１表示部(20)によって覆い隠される。このため、畳み状態では、第１表示画面(21)のみが視認可能、且つ、第１タッチパネル(22)が操作可能であり、第２タッチパネル(32)の操作も行なうことはできない。この畳み状態では、第１表示画面(21)にのみ情報を表示し、第１タッチパネル(22)を操作する使用状態や、電子機器(10)をコンパクトにできるから、非使用状態や持ち運びに好適である。この畳み状態においては、メンブレンスイッチ(82)は第１表示部(20)の背面によって押圧され、オン状態となっている。このため、畳み状態において位置検知手段(80)は、信号値が“１”の相対位置信号を制御手段(60)に与える。
【００４１】
畳み状態からチルト状態やフラット接近状態へ移行するには、上記とは逆の操作を行なえばよい。
【００４２】
図９は、本発明において制御手段(60)が実行する表示制御処理の流れを示すフローチャートである。
タッチパネル(22)(32)をユーザが操作することにより、データ受信部(72)が地上デジタル放送データを受信する(ステップ１)。なお、この時点における第１表示画面(21)と第２表示画面(31)の位置関係、即ち、第２表示画面(31)が視認可能であるか、視認不能(畳み状態)であるかは、後述のステップにて判定されるため、地上デジタル放送データの受信開始時にはその判別は不要である。
【００４３】
データ受信部(72)が受信した地上デジタル放送データは、データ分離部(74)に送信されて、地上デジタル放送データに含まれている動画データと文字データ(字幕データ)とを分離する(ステップ２)。
次いで、制御手段(60)は位置検知手段(80)から出力される相対位置信号の信号値及びその変化の有無を参照して、第２表示画面(31)が視認不能な状態(信号値“１”)から視認可能な状態(“０”)に変化したかどうかを判定する(ステップ３)。
【００４４】
ステップＳ３の判定結果が“Ｙｅｓ”である場合は、第２表示画面(31)が視認不能な畳み状態(図１０参照)から、視認可能な状態に電子機器(10)が移行した、即ち、ユーザ操作により、第２表示画面(31)が視認可能な状態まで引き出されたことを意味する。この場合、制御手段(60)は、データ分離部(74)にて分離された文字データ(字幕データ)の記憶手段(76)への格納を開始する(ステップ４)。なお、本実施例では、記憶手段(76)に格納される文字データ(字幕データ)は、最新の文字データ(字幕データ：Ｄ１)と、その直前の２つの文字データ(履歴データ(Ｄ２)(Ｄ３))とする(図１１及び図１２参照)。
【００４５】
次に、制御手段(60)は、表示制御部(70)により、データ分離部(74)にてステップＳ２で地上デジタル放送データから分離した動画データを第１表示画面(21)に表示させるとともに、同地上デジタル放送データから分離した文字データ(字幕データ：Ｄ１)及びその履歴データ(Ｄ２)(Ｄ３)を第２表示画面(31)に表示させる(ステップ５)。この状態における各表示画面(21)(31)の表示を図１１及び図１２に示している。
【００４６】
図１１(ａ)に示すように、表示制御部(70)は、第１表示画面(21)に動画データを表示し、第２表示画面(31)には、受信した最新の文字データ(字幕データ：Ｄ１)と、記憶手段(76)に格納された履歴データ(Ｄ２)(Ｄ３)を時系列順に新しいデータが下に位置するように表示する。具体的には、表示される順序は、上からＤ３、Ｄ２、Ｄ１としている。なお、最新の文字データ(字幕データ)であることを判りやすくするために、図１１(ａ)に示すように、最新の文字データ(字幕データ)に矢印(Ａ１)を付することもできる。
【００４７】
受信した地上デジタル放送データの文字データ(字幕データ)が更新される毎に、記憶手段(76)に格納される文字データ(字幕データ)及び履歴データは更新される。具体的には、データＤ１がデータＤ２となり、データＤ２がデータＤ３となる。これにより、第２表示画面(31)に表示される文字データ(字幕データ：Ｄ１)及び履歴データ(Ｄ２)(Ｄ３)も、図１１(ｂ)、図１２(ａ)及び図１２(ｂ)に示すように、順次遷移する。
【００４８】
上記の如く、履歴データ(Ｄ２)(Ｄ３)を合わせて表示することにより、ユーザが、最新の文字データ(字幕データ)を見逃した場合又は読み切れなかった場合でも、履歴データを参照することで内容を理解することができる。
【００４９】
古い履歴データ(Ｄ３)を最も上に表示し、新しい文字データ(字幕データ：Ｄ１)を最も下に表示することでき、第２表示画面(31)を参照したときに、ユーザがその内容を容易に理解できる利点がある。
【００５０】
なお、上記とは逆に、新しい文字データ(字幕データ：Ｄ１)を最も上に表示し、古い履歴データ(Ｄ３)を最も下に表示することもできる。この場合、第１表示画面(21)に近い位置に新しい文字データ(字幕データ：Ｄ１)を表示できるから、ユーザは、第1表示画面(21)を参照しながら、視線を大きく変化させることなく、第２表示画面(31)の新しい文字データ(字幕データ：Ｄ１)を参照できる利点がある。
【００５１】
上記のように、第１表示画面(21)に動画データ、第２表示画面(31)に文字データ(字幕データ)及び履歴データを表示することができるから、図１０に示したように動画データと文字データ(字幕データ)や履歴データの重なりはなく、また、夫々を例えば全画面表示すると、視認性を可及的に向上できることがわかる。
【００５２】
ステップＳ５(或いは後述するステップ７、１０、１１)に後続するステップＳ１２では、制御手段(60)はタッチパネル(22)(32)を介して地上デジタル放送データの受信の表示終了指示を与えられたか否かを判定する。その判定結果が“Ｎｏ”である場合には、続く地上デジタル放送データの受信を待ち受けて、地上デジタル放送データを受信して、ステップＳ１以降の処理を再度実行する。逆に、ステップＳ１０の判定結果が“Ｙｅｓ”である場合には、制御手段(60)は、地上デジタル放送データの受信及びその表示を終了する。
【００５３】
上記したステップ３において、位置検知手段(80)の信号変化がない場合(ステップ３の“Ｎｏ”)、ユーザが地上デジタル放送データの視聴を開始した表示画面(21)(31)の状態、即ち、第２表示画面(31)が視認可能又は視認不能の状態を維持していることを意味する。
【００５４】
この場合、制御手段(60)は、位置検知手段(80)の信号値が“１”であるか“０”であるかにより、第２表示画面が視認不能(ステップ６の“Ｙｅｓ”)又は視認可能(ステップ６の“Ｎｏ”)であるかを判定する(ステップ６)。
【００５５】
第２表示画面(31)が視認不能の場合(ステップ６の“Ｙｅｓ”)、第１表示画面(21)に地上デジタル放送データ、即ち、動画データと該動画データに関連付けられた文字データ(字幕データ)を図１０に示すように重ねて又は並べて表示する(ステップ７)。この場合、第１表示画面(21)の大きさの都合上、履歴データは表示しないようにすることが望ましい。
【００５６】
逆に、第２表示画面(31)が視認可能の場合(ステップ６の“Ｎｏ”)、地上デジタル放送データを受信開始したときから、第２表示画面(31)が視認不能であったのか、視認可能であったのかを前述のステップ４を通過したか否かにより判定する(ステップ８)。
【００５７】
ステップ８にて“Ｙｅｓ”の場合は、地上デジタル放送データの受信開始後、ユーザの操作により、第２表示画面が視認可能となっていることから、引き続き、第１表示画面(21)に動画データ、第２表示画面(31)に動画データに関連付けられた文字データ(字幕データ)及び履歴データを表示する(図１１、図１２、ステップ９及びステップ１０参照)。なお、ステップ９及びステップ１０は、ステップ４及びステップ５と同様であるため説明を省略する。
【００５８】
一方、ステップ８にて“Ｎｏ”の場合には、地上波デジタル放送データの受信開始後から、第２表示画面(31)が視認可能であったことを意味するから(ステップ６で“Ｎｏ”である)、例えば、ユーザによるタッチパネル(22)(32)の操作や、設定に基づいて、第１表示画面(21)と第２表示画面(31)の全画面に連続して動画データと文字データ(字幕データ)を重ねて又は並べて表示するようにすればよい(ステップ１１)。
【００５９】
以上、本発明の一実施例について説明したが、上記実施例は、例えば以下のように変形することもできる。
【００６０】
上記実施例では、データ受信部(72)により受信した地上デジタル放送データに含まれる動画データの表わす動画、および同地上デジタル放送データに含まれるテキストデータの表わす文字情報の表示制御への適用例を説明している。しかしながら、電子機器(10)のメモリ(図示せず)に記憶されている画像データ(動画データ、静止画像データ、画像データなど)の表わす画像と、この画像データに関連付けて同メモリに記憶されている他の画像や文字等のデータとその履歴データを表示するようにしてもよい。この場合、データ受信部は読み取り手段として機能するリーダー等に相当する。
また、電子機器(10)がＣＤ−ＲＯＭやメモリスティックなどの記録媒体に記録されたデータの読み取りが可能である場合には、当該記録媒体に記録されている画像や動画のデータと、このデータに関連付けて同記録媒体に記録されている他の画像や文字等のデータとその履歴データを表示するようにしてもよい。
【００６１】
また、第１データと該第１データに関連付けられた第２データとして、例えば第１データがゲーム動画、第２データがそのゲーム動画中に表示される会話文や説明文などの文字データ(字幕データ)とすることもできる。
さらに、第１データとしてブラウザ等で動画を視聴中に、その動画に関連付けられたユーザらにより入力されるチャット等の会話文を第２データとすることもできる。
【産業上の利用可能性】
【００６２】
本発明は、受信したデータに含まれる第１データと該第１データに関連付けられた第２データについて、第２データの履歴データをも表示することにより、視認性及び内容の理解を高めることのできる電子機器として有用である。
【符号の説明】
【００６３】
(10)  電子機器
(20)  第１表示部
(21)  第１表示画面
(22)  第1タッチパネル
(30)  第２表示部
(31)  第２表示画面
(32)  第２タッチパネル
(40)  連結機構
(60)  制御手段
(70)  表示制御部
(72)  データ受信部
(74)  データ分離部
(76)  記憶手段
(80)  位置検知手段
【図１】
2012209671.tif 000003
【図２】
2012209671.tif 000004
【図３】
2012209671.tif 000005
【図４】
2012209671.tif 000006
【図５】
2012209671.tif 000007
【図６】
2012209671.tif 000008
【図７】
2012209671.tif 000009
【図８】
2012209671.tif 000010
【図９】
2012209671.tif 000011
【図１０】
2012209671.tif 000012
【図１１】
2012209671.tif 000013
【図１２】
2012209671.tif 000014